(57)【要約】【課題】            洗髪時や洗髪後に洗髪ボールやシャワーヘッドからの漏れ湯水や伝い湯水が基台壁面を伝って床面に水が溜まらないようし、かつ洗髪台の基台外装部を変色また変質させないようにする。【解決手段】        基台１と洗髪ボール３の間の周縁部に洗髪ボール３からの伝い漏れ水を受けるための水受け部２を設けた。さらに前記水受け部２と該洗髪ボール３からの排水を受ける排水管４との間に流水管６を設けることにより水受け部２に溜まった伝い漏れ水を排水する。【選択図】          図３
2005279026.tif 000002
【特許請求の範囲】
【請求項１】
基台と洗髪ボールの間の周縁部に、洗髪ボールからの伝い漏れ水を受けるための水受け部を設けたことを特徴とする理美容用洗髪台における水受け装置。
【請求項２】
前記水受け部と該洗髪ボールからの排水を受ける排水管との間に流水管を設けることにより水受け部からの水を排水するようにした請求項１記載の理美容用洗髪台における水受け装置。
【請求項３】
前記水受け部に設けられる前後いずれかの側の溝を他方の側の溝より浅くして、傾斜を設けることにより、水受け部２に溜まった伝い水がいずれかの側に流れるようにした請求項１および２のいずれかに記載の理美容用洗髪台における水受け装置。
【請求項４】
前記水受け部が合成樹脂や硬質ゴムなどの可撓性部材により構成されることを特徴とする請求項１〜３のいずれかに記載の理美容用洗髪台における水受け装置。
【発明の詳細な説明】
【技術分野】
【０００１】
本発明は理美容院における整髪や洗髪、特にバックシャンプーと呼ばれる被施術者の首部を洗髪ボールの縁に設けられた凹部に乗せ仰向け状態でシャンプーを行う際に使用する洗髪ボールの水受け装置に関する。
【背景技術】
【０００２】
従来におけるこの種の洗髪台は、例えば、実開平３−５０８０５号公報に開示されている技術がある。この技術における実施例は、洗髪ボール基台の上部に洗髪ボールが載置されており、該洗髪ボールの後方上部にはシャンプーを行うためのシャワーヘッドが設けられている。
【０００３】
また該洗髪ボールの前方にシャンプーの施術を受ける被施術者が着座するための椅子が設けられ、バックシャンプーが行われるようになっている。
またこの種の洗髪台は、基台内部で、基台にゴム製のパッキンを介して洗髪ボールが設けられており、洗髪ボールからの基台内部への水漏れ等については前記したパッキン等で受けていた。
【特許文献１】実開平３−５０８０５号公報
【発明の開示】
【発明が解決しようとする課題】
【０００４】
ところで、前記した従来例にあっては、洗髪ボールが基台の上部に設けられており、洗髪ボールの凹部に被施術者の首部を乗せバックシャンプーが行われるように開示されている。前記した洗髪ボールからの基台内部への湯水の漏れ等については前記したパッキン等で受けて問題はないものの、洗髪時や洗髪後に洗髪ボールやシャワーヘッドからの漏れ湯水や伝い湯水が基台外壁面を伝って床面に水が溜まるという問題があった。
【０００５】
また湯水がパーマ時に使用するパーマ液やカラーリングを行う際に使用するカラー剤などを含んでいる時などは、該基台の外装部分が樹脂などで形成されているため、その基台の外装部分が変色したり変質したりするといった問題があった。
【０００６】
本発明は前記した問題を解決せんとするもので、その目的とするところは、洗髪時や洗髪後に洗髪ボールやシャワーヘッドからの漏れ湯水や伝い湯水が基台壁面を伝って床面に水が溜まらないようするとともに、洗髪台の基台外装部を変色また変質させないようにすることにより従来の問題点を解決することができる理美容用洗髪台における水受け装置を提供せんとするにある。
【課題を解決するための手段】
【０００７】
本発明の理美容用洗髪台における水受け装置は、前記目的を達成せんとするもので、請求項１の手段は、基台と洗髪ボールの間の周縁部に洗髪ボールからの伝い漏れ水を受けるための水受け部を設けたことを特徴とする。
【０００８】
請求項２の手段は、前記した請求項１において、前記水受けと該洗髪ボールからの排水を受ける排水管との間に流水管を設けることにより水受けからの水を排水するようにしたことを特徴とする。
【０００９】
請求項３の手段は、前記水受け部に設けられる前後いずれかの側の溝を他方の側の溝より浅くして、傾斜を設けることにより、水受け部に溜まった伝い水がいずれかの側に流れることを特徴とする請求項１および２のいずれかに記載の理美容用洗髪台における水受け装置である。
【００１０】
請求項４の手段は、請求項１および２において、前記水受けが合成樹脂や硬質ゴムなどの可撓性部材により構成されることを特徴とする請求項１〜２のいずれかに記載の理美容用洗髪台における水受け装置である。
【発明の効果】
【００１１】
本発明は、洗髪ボールと洗髪ボールを支持する基台との間に水受け部を設けているため、洗髪時や洗髪後に洗髪ボールやシャワーヘッドからの漏れ湯水や伝い湯水が基台外壁面を伝って床面に水が溜まるということがないため、床面を清掃することなくまたは衛生面においても良好な状態を保つことができる。
【００１２】
またパーマ時に使用するパーマ液やカラーリングを行う際に使用するカラー剤などを含んでいる湯水などが、基台の外装部を伝って流れて基台の外装部を変色させたり変質させたりすることもないため、美観を損なうこともない。
【発明を実施するための最良の形態】
【００１３】
洗髪台を構成する基台と洗髪ボールの間の周縁部に、洗髪ボールからの伝い漏れ湯水を受けるための水受け部を設け、さらには前記水受け部と該洗髪ボールからの排水を受ける排水管との間に流水管を設けることにより水受け部からの湯水を前記排水管に排水するようにする。
【実施例１】
【００１４】
以下、本発明に係る理美容用洗髪台における水受け装置の実施例を図面とともに説明する。
図１および図２においては、洗髪台全体の構成ならびに洗髪ボール部の斜視図を示している。１は基台であり、２は水受け部、３は洗髪ボールである。
【００１５】
図３は水受け部２が設けられた状態の断面図を示し、１ａは基台１の内部に設けられ、前記水受け部２および洗髪ボール３を支持するための支持板である。
前記支持板１ａに水受け部２が設けられ、かつ該水受け２部の上部に、後述する水溜まり部２ａを形成し、洗髪ボール３の後方部で伝い漏れた湯水を受けるための流水部２ｂおよび空洞部３ｂが設けられている。
【００１６】
これにより、洗髪ボール３の周縁から伝い漏れる湯水が洗髪ボール３の外壁を伝って、前記水受け部２で受けられ、前方の水溜り部２ａに湯水がたまるようになっている。
【実施例２】
【００１７】
この実施例は、実施例１の構成に付加したものである。
すなわち前記した実施例１の構成にあっては、水受け部２の水溜まり部２ａに溜まった湯水を布などで拭き取れる構造としているが、拭き取る等の手間また大量の湯水の漏れなどを考慮して以下の構造を付加したものである。
【００１８】
図４において、２ａは洗髪ボール３の伝い湯水を受けるための水溜まり部であり、２ｂは洗髪ボール３の後方部からの伝い湯水を受けるための流水部であり、２ｃは後述する流水管６への流水口である。
３ａは洗髪後の排水が流れ出る洗髪ボール３内の排水口であり、３ｂは洗髪ボール３の後方部からの伝い湯水が流れるようにした空洞部である。
【００１９】
４は排水管であり、前記洗髪ボール３とジョイント５で接続されている。
４ａは後述する流水管６から排水管４内に流れる流水口である。６は前記した流水管である。
【００２０】
以上の構成により、洗髪ボール３の外壁からの伝い湯水は、水受け部２で受けられ、該水受け２に溜まった湯水は水受け２に設けられる流水口２ｃから流水管６を通って流水口４ａから排水管６に流れ出るようになっている。
【実施例３】
【００２１】
この実施例は、実施例２の構成を一部変更したものである。
すなわち前記した実施例２の構成にあっては、前方側に伝い水が溜まるようにした構造のものであるが、水受け部２が床面に対して水平な場合などは、溜まった伝い水になどが前記流水管６に流れない等の問題を生じ、このような問題を解決するために成され構造を変形させたものである。
【００２２】
図５において、２ｄは前方側の溝部で、２ｅは後方側の溝部であり、前記前方側の溝部を後方側の溝部の深さより浅くして後方側に伝い水が流れるように構成したものである。
これにより、前記水受け部２に溜まった伝い水が滞留することなく、流水管６から排水管４にスムースに流れるようになる。
【産業上の利用可能性】
【００２３】
前記した実施例は理美容院で使用する理美容用洗髪台に限定されるものではなく、例えば、医院などで使用する洗髪台についても使用でき、また洗髪台が固定されたものに限定されるものでもなく、基台下部にキャスターなどを取り付けて移動可能として使用することもできる。
また実施例では前方の溝を浅くし、後方の溝を深くして傾斜を設けて後方へ水が溜まるようにしているが、これが前後に限らずいずれの方向へも水が流れるようにしてもよく、溝の傾斜は適宜変更できる。
【図面の簡単な説明】
【００２４】
【図１】本発明に係る理美容用洗髪台全体を示す。
【図２】図１の洗髪ボール部の斜視図である。
【図３】図１の基台と洗髪ボールの間に水受け部が取り付けられた状態の断面図である。
【図４】第２の実施例の要部を示す断面図である。
【図５】第３の実施例の要部を示す断面図である。
【符号の説明】
【００２５】
１            基台
１ａ          基板
２            水受け部
２ａ          水溜まり部
２ｂ          流水部
２ｄ、２ｅ    溝
３            洗髪ボール
３ａ          排水口
４            排水管
５            ジョイント部
６            流水管
【図１】
2005279026.tif 000003
【図２】
2005279026.tif 000004
【図３】
2005279026.tif 000005
【図４】
2005279026.tif 000006
【図５】
2005279026.tif 000007